【事件の表示】
　特願２０１２−１３２２８９「シート、キーボード、電子機器」拒絶査定不服審判事件〔平成２４年　９月　６日出願公開、特開２０１２−１６８９９１〕について、次のとおり審決する。
【結　論】
　本件審判の請求は、成り立たない。
【理　由】
第１．手続の経緯
　本願は、平成２０年１月１０日に出願した特願２００８−３７２６号（以下、「原出願」という。）の一部を、平成２４年６月１１日に新たな特許出願としたものであって、平成２５年２月２６日付けで拒絶理由通知がなされ、同年５月２日付けで手続補正がなされたが、同年８月９日付けで前記平成２５年５月２日付け手続補正の補正の却下の決定がなされると共に拒絶査定がなされ、これに対し、同年１１月１２日付けで拒絶査定不服審判の請求がされるとともに、同時に手続補正がなされたものである。
　
第２．平成２５年１１月１２日付の手続補正についての補正却下の決定
　
［補正却下の決定の結論］
　　平成２５年１１月１２日付の手続補正（以下、「本件補正」という。）を却下する。
　
［理由］
１．補正の目的
　本件補正は特許請求の範囲についてする補正を含み、その特許請求の範囲についてする補正は補正前の請求項１を補正後の請求項１に、補正前の請求項７を削除して補正前の請求項８を補正後の請求項７に、補正前の請求項９〜１１を補正後の請求項８〜１０に補正するものである。
　このうち、請求項１についてする補正は、
補正前の請求項１
　「【請求項１】
　任意の言語環境に基づいた基準キー表示が設けられた複数のキーから構成されるキーボードを覆い、かつ可塑性を有するシートにおいて、
　前記各キーと対向する領域に、前記任意の言語環境とは異なる言語環境に基づいたオプションキー表示が前記キーボードを覆った際にオペレータが視認可能に設けられ、全面が平坦であることを特徴とするシート。」
を、
補正後の請求項１
　「【請求項１】
　任意の言語環境に基づいた基準キー表示が設けられた複数のキーから構成されるキーボードを覆い、かつ可塑性を有するシートにおいて、
　前記各キーと対向する領域に、前記任意の言語環境とは異なる言語環境に基づいたオプションキー表示が前記キーボードを覆った際にオペレータが視認可能に設けられ、
　
前記シートは、
り、かつ透明あるいは半透明なシート材で形成されるとともに、隣り合う前記各オプションキー表示の間に隙間が形成されている
とするものである（補正部分を下線で示す。）。
　
　そして、「全面が平坦であることを特徴とするシート」を「
前記シートは、
り、かつ透明あるいは半透明なシート材で形成されるとともに、隣り合う前記各オプションキー表示の間に隙間が形成されている
　
２．独立特許要件（特許法第１７条の２第６項）について
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
  
３．引用例の記載、引用例記載の発明
（引用例１）
　原査定の拒絶の理由に引用された、原出願の出願日前に頒布された刊行物である、特開２００３−３１６４９７号公報（以下、「引用例１」という。）には、図面と共に以下の記載がある。
　
ａ）「【０００１】
【発明の属する技術分野】本発明は、コンピュータのキーボード本体に取り付け可能なキーボード用装置とそのキーボード用装置を備えるキーボードとそのキーボードを備えるコンピュータに係る。特に
異なる複数の言語の文字または数字をキーボード入力するのに好適なキーボード用装置
に関
　
ｂ）「【０００３】キーボードの構造を、我が国で現在用いられている一般的なパソコンのキーボードを例として、図を基に説明する。図９は、キーボードの平面図である。
キーボード１は、キーボード基部２と複数のキー３，４，５，６，７，８とを備え
【０００４】英語、平仮名等の文字とアラビア数字と文字入力に頻繁に使用される一群のキー３が、キーボード基部２の左下部の主要領域を占めている。ここで、キーボード本体が英語キーボードであったとしたら英数字を印字される一群のキーが標準配列された略四辺形の領域を、「英数字キー領域」と呼ぶ（以下、同じ）。例えば、上記の主要領域が「英数字キー領域」に該当する。さらに、エスケープキー４とファンクションキー５とが英数字キー領域９の上方に並び、コントロールコード等の特殊キー６と矢印キー７が英数字キー領域９の右に並び、テンキー８が最右側に並ぶ。」（【０００３】〜【０００４】の記載。）
　
ｃ）「【００１２】
【課題を解決するための手段】上記目的を達成するため、本発明に係るコンピュータの
キーボード本体に取り付け可能なキーボード用装置は、キーボード本体が英語キーボードであったとしたら英数字を印字される一群のキーが標準配列された略四辺形の英数字キー領域を覆う柔軟材料製の膜部材を有し、
英語でない言語の文字または数字がキーのトップに当接する部位に該言語の標準配列で印字されている、もの
【００１３】上記本発明の構成により、柔軟材料製の膜部材がキーボード本体が英語キーボードであったとしたら英数字を印字される一群のキーが標準配列された略四辺形の英数字キー領域を覆い、前記膜部材の前記英数字キー領域の１辺を残して他の３辺が自由端になり、英語でない言語の文字または数字がキーのトップに当接する部位に該言語の標準配列で印字されているので、膜部材が英数字キー領域を覆っている際には英語でない言語の文字または数字を目視確認しつつ英数字キー領域に配列された一群のキーを押してキー入力でき、膜部材を一辺を固定端として回転させた際にはキーに印字された文字または数字を目視確認しつつ英数字キー領域に配列された一群のキーを押してキー入力でき、キーボード用装置に印字された文字の言語とキーに印字された文字の言語とが異なっていれば簡易に複数の言語の文字のキー入力ができる。」（【００１２】〜【００１３】の記載。）
　
ｄ）「【００２１】本発明の
第一の実施形態
【００２２】
キーボード用装置１０は、コンピュータのキーボード本体１に取付可能なものであり、柔軟材料製の膜部材を有
この柔軟材料性（
の膜部材１１は、少なくとも英数字キー領域９を覆って
【００２３】このキーボード用装置１０においては、膜部材１１の前記英数字キー領域９の１辺を残して他の３辺が自由端になっている。図１では、一連に連なった切り込みが、略四辺形の形状をした英数字キー領域の下辺１３と左辺１２と右辺１４とに設けられ、英数字キー領域が上辺１５でその他の領域を覆った膜部材と一連に繋がっているキーボード用装置１０が示されている。
膜部材１１は、キーボード本体基部の上表面と配列された一群のキーの形状とに倣う様に、
なっている
【００２４】また、
このキーボード用装置１０においては、英語の言語以外の他言語の文字または数字がキーのトップに当接する部位に該他言語の標準配列で印字され
膜部材は透明素材でできており、
【００２５】以下に、第一の実施形態のキーボード用装置の作用を説明する。キーボード本体が日本語キーボードであって、キーボード用装置の膜部材１１にはハングル文字ｈが印字されているとして説明する。
（
状態
キーボード用装置１０の膜部材１１が、キーボード本体１の上面の全体を覆って、英数字キー領域も覆っている
パソコンの使用者は、キーボード用装置の上に印字された
文字を目視確認しつつキー３を膜部材越しに押すことにより
文字をキー入力することができる
　
ｅ）「【００５３】上述の第一、第二の実施形態のキーボード用装置、その
キーボード用装置を備えたキーボード
を用いれば、複数のキーボードを用意しなくても、２つ以上の異なる言語のキー入力を、キーボード用装置の操作と入力ドライバの切換により、簡単におこなうことができ
【００５４】本発明は以上に述べた実施形態に限られるものではなく、発明の要旨を逸脱しない範囲で各種の変更が可能である。第一の実施形態において、英数字キー領域の上辺を残して左辺と下辺と右辺とを自由端としたがこれに限定されず、例えば、左辺を残して下辺と上辺と右辺とを自由端としてもよいし、その他の辺を残しても良い。また、第二乃至第五の実施形態で、上辺に沿った軸を中心にキーボード用装置を回転できる用にしたがこれに限定されず、例えば左辺に沿った軸を中心にキーボード用装置を回転させても、その他の辺に沿った軸を中心に回転させてもよい。また、第三乃至第五の実施形態において。キーボード用装置を二つ折りにしたがこれに限定されず、例えば、三つ折りや四つ折り等でもよい。また、第四の実施形態に係るキーボードにおいて、装置検知センサとインターフェースとを備えると説明したがこれに限定されず、装置検知センサとインターフェースを省いたキーボードであってもよい。
また、膜部材は
半透明な素材でもよい
　
（引用例１記載の発明）
　引用例１の特に第一の実施形態のキーボード用装置の膜部材に着目すれば、引用例１には次の発明（以下、「引用例１記載の発明」という。）が記載されていると認められる。
　「異なる複数の言語の文字または数字をキーボード入力するのに好適なキーボード用装置の膜部材に関し、
　キーボード１は、キーボード基部２と複数のキー３，４，５，６，７，８とを備え、
　キーボード本体に取り付け可能なキーボード用装置は、キーボード本体が英語キーボードであったとしたら英数字を印字される一群のキーが標準配列された略四辺形の英数字キー領域を覆う柔軟材料製の膜部材を有し、
　英語でない言語の文字または数字がキーのトップに当接する部位に該言語の標準配列で印字されている、ものとされ、
　キーボード用装置１０は、コンピュータのキーボード本体１に取付可能なものであり、柔軟材料製の膜部材を有し、この柔軟材料製の膜部材１１は、少なくとも英数字キー領域９を覆っており、
　膜部材１１は、キーボード本体基部の上表面と配列された一群のキーの形状とに倣う様になっているものであり、
　このキーボード用装置１０においては、英語の言語以外の他言語の文字または数字がキーのトップに当接する部位に該他言語の標準配列で印字され、
　膜部材は透明素材でできており、
　キーボード用装置１０の膜部材１１が、キーボード本体１の上面の全体を覆って、英数字キー領域も覆っている状態において、パソコンの使用者は、キーボード用装置の上に印字された文字を目視確認しつつキー３を膜部材越しに押すことにより、該文字をキー入力することができる、
　キーボード用装置を備えたキーボードを用いれば、複数のキーボードを用意しなくても、２つ以上の異なる言語のキー入力を、キーボード用装置の操作と入力ドライバの切換により、簡単におこなうことができ、
　また、膜部材は半透明な素材でもよい、
　キーボード用装置の膜部材。」
　
（引用例２）
　原査定の拒絶の理由に引用された、原出願の出願日前に頒布された刊行物である、登録実用新案第３１０３４６５号公報（以下、「引用例２」という。）には、図面と共に以下の記載がある。
　
ｆ）「【０００４】
  本考案が解決しようとする課題の第１は、高齢者などパソコン入力に不慣れな人にも、キー入力を容易にし、負荷を少なく出来るアルファベットなどの新しいキー配列を有するキーボードシステムを実現することである。
【０００５】
  第２の課題は、広く市販されているパソコンを土台として、比較的簡易な方法で、高齢者などに適したキー配列のキーボードを実現し、簡単な操作で新しいキー配列と本来のキー配列を切り替えることを可能にすることである。」（【０００４】〜【０００５】の記載。）
　
ｇ）「【０００７】
  本考案にかかる日本語ローマ字入力キーボードでは、文字を母音、子音、数字、記号に分けて機能別のブロック毎にキーの色を変えて配置し、各ブロック内では規則性を持って文字を配置し、入力された文字を専用ソフトウェアによって正しく変換、表示する。
【０００８】
  前記ブロックは、左手操作部に母音ブロックを、右手操作部に子音および数字ブロックを配置する。
【０００９】
  前記ブロックに配置されるキーは、一つのキーには一つの文字あるいは機能のみを割り付ける。
【００１０】
  前記ブロック毎に
配列が変更された文字を表示した透明ないし半透明のキーボードシートを市販パソコンのキーボード上に設ける
　
ｈ）「【００１４】
  第１の課題を解決するために考案した、
市販の
キーボードでのキー配列と全く異なるキー配列
【００１５】
  日本語をローマ字で入力する場合は、母音または母音と子音の組み合わせで入力するので図１に示すように、母音は母音ブロック１、子音は子音ブロック２としてまとめて文字を配し、かつ、母音ブロック１、子音ブロック２の内部においては、日本語の五十音に沿った規則的配列とする。数字は、ノート型パソコンでは横１列に、デスクトップ型パソコンではブロック状に配置されるのが通常であるが、本考案では、デスクトップ型と同様、数字ブロック３としてブロック状に配置する。
【００１６】
  文字を捜しやすくするために、前記のブロック毎にキーを色分けすることが有効である。たとえば、母音ブロック１を赤色、子音ブロック２を白色、数字ブロック３を緑色に、記号ブロックを黄色にする。各ブロックと色に関しては、ここに記載した以外の組み合わせであっても差し支えない。」（【００１４】〜【００１６】の記載。）
　
ｉ）「【００２２】
  第２の課題である比較的簡単な方法で
キーの配列を変えることは、
キーボード７上に新しい文字配列キー５を印刷等の方法で表示した透明または半透明のシート４を置くことにより実現
キー５は印刷
で表示するが、使用による表示の摩滅を避けるために、シート４の下面側に表示
【００２３】
  前項記載の方法の一形態として、市販パソコンに普及している凹凸のついた防塵カバーを用いることも可能である。」（【００２２】〜【００２３】の記載。）
　
ｊ）「【００２９】
  
文字を表示したシート４
は、キーボード７面上に置いた場合にキーボード７の平坦部分と密着状態を実現
　
ｋ）「【図２】　文字を印刷したシートを通常のパソコンに被着した使用例でのキーボード断面を示す概略図である。」（【００３９】の記載。）
　
ｌ）「【００４０】
　１　母音ブロック
　２　子音ブロック
　３　数字ブロック
　４　シート
　５　シート上に印刷されたキー
　６　キートップ
　７　キーボード本体」（【００４０】の記載。）
　
（引用例２記載の発明）
　上記引用例２の摘記事項からは、以下のことがいえる。
（１）【００１４】、【００２２】の記載によれば、「キーボードシート」は、「キーボードでのキー配列と全く異なるキー配列」とするために「キーボード７上に新しい文字配列キー５を印刷等の方法で表示した透明または半透明のシート４を置」かれるものであるから、「キーボードのキー配列を変えるためにキーボード上に設ける、キーボードのキー配列と異なるキー配列としたキーボードシート」といい得るものである。
（２）図２からすれば、
　・各キートップ６が間隔をあけて配置されていること
　・キーボード本体７の表面は平坦であり、当該表面が平坦なキーボード本体７の上に平坦なシート４が配置されていること
　・平坦なシート４は、「シート上に印刷されたキー」５が、キートップ６に対応する位置に間隔をあけて設けられていること
が見てとれるから、「キーボードシート」は、「表面が平坦で、キートップ６が間隔をあけて配置されたキーボード本体７の上に、前記キートップ６に対応する位置に間隔をあけて「シート上に印刷されたキー」５を設けた平坦なシート」といい得るものである。
（３）【００２２】の記載によれば、シートは、「新しい文字配列キー５を印刷等の方法で表示した透明または半透明のシート４」であり、「キー５は印刷」「で表示するが、使用による表示の摩滅を避けるために、シート４の下面側に表示」するものであり、【００２９】の記載によれば、シートは、「キーボード７面上に置いた場合にキーボード７の平坦部分と密着状態を実現」するから、「キーボードシート」は、「「シート上に印刷されたキー」５は、使用による表示の摩滅を避けるために、シート４の下面側に印刷で表示した、透明または半透明で、キーボード７の平坦部分と密着状態となるキーボードシート」といい得るものである。
　
　してみると、引用例２には次の発明（以下、「引用例２記載の発明」という。）が記載されている。
　「キーボードのキーの配列を変えるためにキーボード上に設ける、キーボードのキー配列と異なるキー配列としたキーボードシートであって、
　表面が平坦で、キートップ６が間隔をあけて配置されたキーボード本体７の上に、前記キートップ６に対応する位置に間隔をあけて「シート上に印刷されたキー」５を設けた平坦なシートであり、
　「シート上に印刷されたキー」５は、使用による表示の摩滅を避けるために、シート４の下面側に印刷で表示した、透明または半透明で、キーボード７の平坦部分と密着状態となるキーボードシート。」
　
４．対比、一致点、相違点
　そこで、本願補正発明と引用例１記載の発明とを対比する。
　
あ）「任意の言語環境に基づいた基準キー表示が設けられた複数のキーから構成されるキーボードを覆い、かつ可塑性を有するシートにおいて」について
　
　引用例１記載の発明では、「キーボード本体が英語キーボードであったとしたら英数字を印字される一群のキーが標準配列された略四辺形の英数字キー領域」を有するものであるから、引用例１記載の発明の「キーボード本体」は、本願補正発明の「任意の言語環境に基づいた基準キー表示が設けられた複数のキーから構成されるキーボード」といい得るものである。
　また、引用例１記載の発明では、「キーボード本体に取り付け可能なキーボード用装置は、キーボード本体が英語キーボードであったとしたら英数字を印字される一群のキーが標準配列された略四辺形の英数字キー領域を覆う柔軟材料製の膜部材を有」するものであるから、引用例１記載の発明の「キーボード用装置の膜部材」は本願補正発明の「キーボードを覆い、かつ可塑性を有するシート」といい得るものである。
　したがって、引用例１記載の発明の「キーボード用装置の膜部材」は、本願補正発明の「任意の言語環境に基づいた基準キー表示が設けられた複数のキーから構成されるキーボードを覆い、かつ可塑性を有するシート」といい得るものである。
　
い）（シートにおいて、）「前記各キーと対向する領域に、前記任意の言語環境とは異なる言語環境に基づいたオプションキー表示が前記キーボードを覆った際にオペレータが視認可能に設けられ」について
　
　引用例１記載の発明の「キーボード用装置の膜部材」は、「キーボード本体が英語キーボードであった」場合に、「英語でない言語の文字または数字がキーのトップに当接する部位に該言語の標準配列で印字されている、ものとされ」ており、「パソコンの使用者は、キーボード用装置の上に印字された文字を目視確認しつつキー３を膜部材越しに押す」ものであるから、引用例１記載の発明の「キーボード用装置の膜部材」は、本願補正発明の（シートにおいて、）「前記各キーと対向する領域に、前記任意の言語環境とは異なる言語環境に基づいたオプションキー表示が前記キーボードを覆った際にオペレータが視認可能に設けられ」るといい得る構成を有するといえる。
　
う）「前記シートは、全面が平坦あり、かつ透明あるいは半透明なシート材で形成されるとともに、隣り合う前記各オプションキー表示の間に隙間が形成されている」について
　
　引用例１記載の発明の「キーボード用装置の膜部材」は透明素材でできており、」「また、膜部材は半透明な素材でもよい」ものであることは、本願補正発明の「前記シートは、」「透明あるいは半透明なシート材で形成される」といい得るものである。
　もっとも、引用例１記載の発明は、「膜部材１１は、キーボード本体基部の上表面と配列された一群のキーの形状とに倣う様になっているものであ」るが、「全面が平坦」とはしていない点で、また、「隣り合う前記各オプションキー表示の間に隙間が形成されている」とはしていない点で本願補正発明と相違する。
　
え）一致点、相違点
　以上の対比結果によれば、本願補正発明と引用例１記載の発明とは、
　
（一致点）
「任意の言語環境に基づいた基準キー表示が設けられた複数のキーから構成されるキーボードを覆い、かつ可塑性を有するシートにおいて、
　前記各キーと対向する領域に、前記任意の言語環境とは異なる言語環境に基づいたオプションキー表示が前記キーボードを覆った際にオペレータが視認可能に設けられ、
　前記シートは、透明あるいは半透明なシート材で形成されることを特徴とするシート。」
　の点で一致し、次の点で相違する。
　
（相違点）
　本願補正発明のシートは、「全面が平坦」であり、「隣り合う前記各オプションキー表示の間に隙間が形成されている」ものであるのに対して、引用例１記載の発明のシート（膜部材）は、そのような構成とされていない点。
　
５．判断
　「全面が平坦であるキーボード」は、原出願の出願日前周知のものである。（先に示した引用例２の図２にも「全面が平坦であるキーボード」が示されている。）
　そして、引用例１記載の発明が、全面が平坦である上記周知のキーボードに対しても有用かつ採用可能であることは、当業者に明らかである。
　そうすると、引用例１記載の発明の「キーボード用装置の膜部材」を「全面が平坦であるキーボード」用のものとすることは、当業者が容易に想到し得ることであり、そのようにする場合、引用例１記載の発明の「キーボード用装置の膜部材」も、「全面が平坦であるキーボード」の平坦な形状に倣う様に（引用例１記載の発明でも、「膜部材１１は、キーボード本体基部の上表面と配列された一群のキーの形状とに倣う様になっている」。）「全面が平坦」なものとすることは自然なことであり、当業者が容易に想到し得ることである。
　そして、引用例１記載の発明の「キーボード用装置の膜部材」を（全面が平坦であるキーボード用に）全面が平坦なものとする際、「膜部材」に印字された「隣り合うキー表示の間に隙間を形成すること」も、以下の点からすれば、当業者が容易になし得たことというべきである。
（１）引用例２には、「キーボードのキーの配列を変えるためにキーボード上に設ける、キーボードのキー配列と異なるキー配列としたキーボードシートであって、
　表面が平坦で、キートップ６が間隔をあけて配置されたキーボード本体７の上に、前記キートップ６に対応する位置に間隔をあけて「シート上に印刷されたキー」５を設けた平坦なシートであり、
　「シート上に印刷されたキー」５は、使用による表示の摩滅を避けるために、シート４の下面側に印刷で表示した、透明または半透明で、キーボード７の平坦部分と密着状態となるキーボードシート。」の発明が示されている。
　すなわち、表面が平坦で、キートップ６が間隔をあけて配置されたキーボードと、そのようなキーボード上に、前記キートップ６に対応する位置に間隔をあけて「シート上に印刷されたキー」５を設けた平坦なキーボードシートをキーボードの平坦部分と密着状態で設ける技術思想は、原出願の出願日前公知のことである。
（２）引用例２記載の発明は、「キーの配列を変える」ものであるから、引用例２記載の発明において、「キートップ６」の文字と「シート４」の前記キートップと対応する位置に「印字されたキー５」の文字とが異なっているものであり、また、引用例１記載の発明は、「簡易に複数の言語の文字のキー入力ができる」ようにするために、「キーボード用装置の膜部材」に印字された文字の言語と「キーボード本体のキー」に印字された文字の言語とが異なっているものであるから、引用例１記載の発明と引用例２記載の発明は共に、キーボードのキーの文字と異なる文字を印刷した膜部材（シート）をキーボード上に配置することにより、利用者にキーボードのキーの文字とは異なる文字を視認させる点で共通するものであり、このことからすれば、引用例１記載の発明の「キーボード用装置の膜部材」を（全面が平坦であるキーボード用に）全面が平坦なものとする際に、上記引用例２に記載された技術思想を適用する動機付けはあるということができる。
（３）そして、引用例１記載の発明に上記引用例２に記載された技術思想を適用したものは、「全面が平坦」であり、「隣り合う前記各オプションキー表示の間に隙間が形成されている」シートとなるから、引用例１記載の発明に引用例２記載の発明を適用して、本願補正発明の構成を得ることは、当業者が容易に想到し得たことである。
　
　また、上記相違点に係る本願補正発明の構成に基づく本願補正発明の効果に付いてみても、引用例１記載の発明に引用例２記載の発明を適用した場合に予想される効果を超えるものとは認められない。
　
　以上のとおり、本願補正発明は、引用例１記載の発明および引用例２記載の発明に基づいて、当業者が容易に発明をすることができたものであるから、特許法第２９条第２項の規定により特許出願の際独立して特許を受けることができないものである。
　
６．むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３．本願発明について
１．本願発明
　平成２５年１１月１２日付の手続補正は上記のとおり却下されたので、本願の請求項１に係る発明（以下、「本願発明」という。）は、平成２４年６月１１日付の特許請求の範囲の請求項１に記載された事項により特定される、以下のとおりのものである。
　「【請求項１】
　任意の言語環境に基づいた基準キー表示が設けられた複数のキーから構成されるキーボードを覆い、かつ可塑性を有するシートにおいて、
　前記各キーと対向する領域に、前記任意の言語環境とは異なる言語環境に基づいたオプションキー表示が前記キーボードを覆った際にオペレータが視認可能に設けられ、全面が平坦であることを特徴とするシート。」
　
２．引用例の記載、引用例記載の発明
　原査定の拒絶の理由に引用された、引用例１、引用例２は、上記「第２．」の「３．引用例の記載、引用例記載の発明」に記載したとおりである。
　
３．対比・判断
　本願発明は、前記「第２．」で検討した本願補正発明が、「前記シートは、全面が平坦あり、かつ透明あるいは半透明なシート材で形成されるとともに、隣り合う前記各オプションキー表示の間に隙間が形成されている」としたものを「全面が平坦である」とするものである。
　そうすると、本願発明の構成要件をすべて含み、さらに他の構成要件を付加したものに相当する本願補正発明が、前記「第２．」「５．判断」に記載したとおり、引用例１記載の発明および引用例２記載の発明に基づいて、当業者が容易に発明をすることができたものであるから、本願発明も同様の理由により、引用例１記載の発明および引用例２記載の発明に基づいて、当業者が容易に発明をすることができたものである。
　
４．むすび
　以上のとおり、本願の請求項１に係る発明は、引用例１に記載された発明および引用例２に記載された発明に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。